(57)【要約】【課題】整備中の鉄道車両に接続されて用いられる地上設備の鉄道車両からの取り外しの失念をより確実に防止すること。【解決手段】検知部２０が、載置部１０に載置される汚物抜き取りホース１００へ向けて光線を照射可能な照射部２１と、載置部１０に汚物抜き取りホース１００が載置されない場合に、照射部２１によって照射された光線を受光する受光部２２と、を有する。そして、受光部２２が照射部２１によって照射された光線を受光する場合に、検知部２０が、載置部１０に載置される汚物抜き取りホース１００を検知せず、判定部３０が、汚物抜き取りホース１００が鉄道車両に接続されている可能性があると判定する。一方、受光部２２が照射部２１によって照射された光線を受光しない場合に、検知部２０が、載置部１０に載置される汚物抜き取りホース１００を検知し、判定部３０が、汚物抜き取りホース１００が鉄道車両に接続されていないと判定する。【選択図】図１
2010285027.tif 000002
【特許請求の範囲】
【請求項１】
整備中の鉄道車両に接続されて用いられる地上設備を載置可能な載置部と、
前記載置部に載置される前記地上設備を検知可能な検知部と、
前記検知部によって前記載置部に載置される前記地上設備が検知される場合に、前記地上設備が前記鉄道車両に接続されていないと判定し、一方、前記検知手段によって前記載置部に載置される前記地上設備が検知されない場合に、前記地上設備が前記鉄道車両に接続されている可能性があると判定する判定部と、
少なくとも前記判定部によって前記地上設備が前記鉄道車両に接続されている可能性があると判定された場合にその旨を報知する報知部と、
を備える地上設備取り外し失念防止システムであって、
前記検知部は、
前記載置部に載置される前記地上設備へ向けて光線を照射可能な照射部と、
前記載置部に前記地上設備が載置されない場合に、前記照射部によって照射された光線を受光する受光部と、
を有し、前記受光部が前記照射部によって照射された光線を受光する場合に、前記載置部に載置される前記地上設備を検知せず、一方、前記受光部が前記照射部によって照射された光線を受光しない場合に、前記載置部に載置される前記地上設備を検知すること
を特徴とする地上設備取り外し失念防止システム。
【請求項２】
前記照射部および前記受光部は前記載置部内部に配置されており、
前記載置部は、前記照射部によって照射された後に前記受光部に至る光線の軌道上に配置され、前記光線を透過する透過部を有すること
を特徴とする請求項１に記載の地上設備取り外し失念防止システム。
【請求項３】
前記載置部内部に配置され、前記照射部によって照射される光線を前記受光部へ向けて反射する反射部を備え、
前記透過部は、前記照射部によって照射された後に前記反射部に至る光線の軌道上に配置されること
を特徴とする請求項２に記載の地上設備取り外し失念防止システム。
【発明の詳細な説明】
【技術分野】
【０００１】
本発明は、整備中の鉄道車両に接続されて用いられる地上設備の鉄道車両からの取り外しの失念をより確実に防止する技術に関する。
【背景技術】
【０００２】
鉄道車両の整備作業の一つとして、鉄道車両の床下に設置されて運行中に発生した汚物を貯留しておく汚物タンクから汚物を抜き取るとともに汚物タンク内を洗浄する汚物抜き取り作業がある。
【０００３】
この作業は、次のように行われる。まず、汚物タンクから汚物を抜き取るための地上側の汚物抜き取りホースの先端部を汚物タンク下部の排出口に接続するとともに、汚物タンクに洗浄水を供給するための地上側の洗浄水供給ホースの先端部を汚物タンクの上部の給水口に接続する。次に、汚物タンクの排出口から汚物タンク内の汚物を抜き取る。このとき、汚物タンクから抜き取られた汚物は汚物抜き取りホースを経由して地上側の貯留タンクに貯留される。さらに、洗浄水供給ホースから洗浄水を勢いよく供給することで汚物タンク内を洗浄する。そして、洗浄水による洗浄が終了したら、汚物タンクの排出口から汚物抜き取りホースを取り外して閉口し、洗浄水供給ホースから洗浄水を供給して所定量の洗浄水を汚物タンクに蓄積させる。さらに、洗浄水供給ホースを汚物タンクの給水口から取り外して閉口する。
【０００４】
しかし、この種の作業では、汚物抜き取りホースや洗浄水供給ホースの汚物タンクからの取り外しを失念し、作業終了後も汚物抜き取りホースや洗浄水供給ホースが汚物タンクに接続されたままとなることがある。すると、汚物排出ホースや洗浄水供給ホースを汚物タンクに接続したままで鉄道車両を移動させてしまい、地上設備と汚物タンクとに両端がそれぞれ接続された汚物抜き取りホースや洗浄水供給ホースを引きちぎってしまう。
【０００５】
このような事故の原因は、汚物抜き取りホースや洗浄水供給ホースを汚物タンクから取り外したことの確認作業が確実に実行されていないことにある。そのため、作業遂行上のソフト面での対策を行うことが考えられる。一例を挙げると、マニュアルの整備やチェック表の活用などである。
【０００６】
しかし、上述のようなソフト面での対策では、事故絶滅の決め手とはならなかった。
そこで、ハード面での対策として、例えば汚物抜き取りホースの収納台にリミットスイッチ付きの受台を取り付け、汚物抜き取りホースが受台に収納されていないときには、知らせ灯（回転灯）が点灯して作業者に汚物抜き取りホースが収納されていないことを知らせる汚物抜き取りホース格納検出装置が開発されている（例えば、非特許文献１，２参照。）。より具体的には、上記装置の受台には、動作テコが備えられており、動作テコに汚物抜き取りホースを吊下げると、動作テコの動作をリミットスイッチが検知するようになっている。そして、動作テコの動作をリミットスイッチが検知しないときには、汚物抜き取りホースが受台に収納されていないことから、汚物抜き取りホースが汚物タンクの排出口に接続されている可能性があり、鉄道車両を移動させると汚物抜き取りホースが破損するおそれがあると判定する。一方、動作テコの動作をリミットスイッチが検知したときには、汚物抜き取りホースが受台に収納されていることから、汚物抜き取りホースが汚物タンクの排出口から取り外されており、鉄道車両を移動させても問題ないと判定する。
【０００７】
なお、本装置は、汚物抜き取りホースの取り外し失念防止に限らず洗浄水供給ホースの取り外し失念防止にも適用可能と考えられる。
【先行技術文献】
【非特許文献】
【０００８】
【非特許文献１】「せいび」２００９年３月号（社団法人車両整備協会）「汚物抜き取りホース格納検出装置の経過」第６頁〜第７頁
【非特許文献２】「ＪＲガゼット」２００９年２月号（交通新聞社）「きれいな車両を提供するために」第４７頁〜第４９頁
【発明の概要】
【発明が解決しようとする課題】
【０００９】
しかし、上述の汚物抜き取りホース格納検出装置においては次のような問題があった。
（１）動作テコに雪が積もった場合や動作テコが強風であおられた場合などの自然要因で動作テコが動作し、汚物抜き取りホースが受台に収納されていると判定されることがある。この場合、汚物抜き取りホースが汚物タンクに接続されていても、汚物抜き取りホースが受台に収納されていると判定され、鉄道車両を誤って移動させてしまって汚物抜き取りホースを引きちぎってしまうことになりかねない。
【００１０】
（２）動作テコに汚物抜き取りホースを吊下げた際に、汚物抜き取りホースの一部が他の地上設備等に引っ掛かった場合には動作テコが十分に動作しないことがある。この場合、汚物抜き取りホースが受台に収納されていても、汚物抜き取りホースが汚物タンクに接続されていると判定され、鉄道車両の発車を遅らせることになりかねない。
【００１１】
なお、このような問題は、上記装置を汚物抜き取りホースの取り外し失念防止に適用した場合に限られず、上記装置を洗浄水供給ホースの取り外し失念防止に適用した場合や、鉄道車両の清掃および整備作業時に鉄道車両に接続されたり引き込まれたりする各種ホースや各種コードなどの地上設備の取り外し失念防止に適用した場合にも同様に発生し得る。
【００１２】
本発明は、このような課題に鑑みなされたものであり、その目的とするところは、整備中の鉄道車両に接続されて用いられる地上設備の鉄道車両からの取り外しの失念をより確実に防止する技術を提供することにある。
【課題を解決するための手段】
【００１３】
上記課題を解決するためになされた請求項１に係る地上設備取り外し失念防止システムは、整備中の鉄道車両に接続されて用いられる地上設備を載置可能な載置部と、前記載置部に載置される前記地上設備を検知可能な検知部と、前記検知部によって前記載置部に載置される前記地上設備が検知される場合に、前記地上設備が前記鉄道車両に接続されていないと判定し、一方、前記検知手段によって前記載置部に載置される前記地上設備が検知されない場合に、前記地上設備が前記鉄道車両に接続されている可能性があると判定する判定部と、少なくとも前記判定部によって前記地上設備が前記鉄道車両に接続されている可能性があると判定された場合にその旨を報知する報知部と、を備える地上設備取り外し失念防止システムであって、前記検知部は、前記載置部に載置される前記地上設備へ向けて光線を照射可能な照射部と、前記載置部に前記地上設備が載置されない場合に、前記照射部によって照射された光線を受光する受光部と、を有し、前記受光部が前記照射部によって照射された光線を受光する場合に、前記載置部に載置される前記地上設備を検知せず、一方、前記受光部が前記照射部によって照射された光線を受光しない場合に、前記載置部に載置される前記地上設備を検知することを特徴とする。
【００１４】
このように構成された本発明の地上設備取り外し失念防止システムによれば、検知部が照射部と受光部とを有し、照射部が、載置部に載置される地上設備へ向けて光線を照射可能であり、受光部が、載置部に地上設備が載置されない場合に、照射部によって照射された光線を受光する。
【００１５】
このように載置部に載置された地上設備の検出に光線を用いることで、従来構成のような自然要因による誤動作が発生しにくい。また、仮に地上設備が他の地上設備等に引っ掛かった場合でも、受光部による光線の受光が妨げられにくく、この点でも誤動作が発生しにくくなる。
【００１６】
また、本発明の地上設備取り外し失念防止システムによれば、受光部が照射部によって照射された光線を受光する場合には、検知部が、載置部に載置される地上設備を検知せず、判定部が、地上設備が鉄道車両に接続されている可能性があると判定する。一方、受光部が照射部によって照射された光線を受光しない場合には、検知部が、載置部に載置される地上設備を検知し、判定部が、地上設備が鉄道車両に接続されていないと判定する。
【００１７】
したがって、整備中の鉄道車両に接続されて用いられる地上設備の鉄道車両からの取り外しの失念を、より確実に防止することができる。
この場合、照射部および受光部が、載置部内部に配置されており、載置部が、照射部によって照射された後に受光部に至る光線の軌道上に配置され、光線を透過する透過部を有することが考えられる(請求項２)。
【００１８】
このように構成すれば、照射部および受光部が載置部内部に配置されるので、水滴やほこりが透過部を通過したとしても照射部および受光部までは届きにくく、照射部および受光部に水滴やほこりが付着するのを防ぐことができる。したがって、照射部および受光部への水滴やほこりの付着に起因する誤動作を防止することができる。
【００１９】
また、載置部内部に配置され、照射部によって照射される光線を受光部へ向けて反射する反射部を備え、透過部が、照射部によって照射された後に反射部に至る光線の軌道上に配置されることが考えられる（請求項３）。
【００２０】
このように構成すれば、反射部が載置部内部に配置されるので、水滴やほこりが透過部を通過したとしても反射部までは届きにくく、反射部に水滴やほこりが付着するのを防ぐことができる。したがって、反射部への水滴やほこりの付着に起因する誤動作を防止することができる。
【図面の簡単な説明】
【００２１】
【図１】汚物抜き取りホース取り外し失念防止システムの概略構成を示すブロック図
【図２】汚物抜き取りホース取り外し失念防止システムの各部構成の概略構成図（１）
【図３】汚物抜き取りホース取り外し失念防止システムの各部構成の概略構成図（２）
【図４】洗浄水給水ホース取り外し失念防止システムの各部構成の概略構成図
【発明を実施するための形態】
【００２２】
以下に本発明の実施形態を図面とともに説明する。
［１．汚物抜き取りホース取り外し失念防止システム１の構成の説明］
図１，２に示すように、地上設備取り外し失念防止システムとしての汚物抜き取りホース取り外し失念防止システム１は、汚物抜き取りホース１００を載置可能な載置部１０と、載置部１０に載置された汚物抜き取りホース１００を検知可能な検知部２０と、判定部３０と、報知部４０と、を備える。
【００２３】
載置部１０は、載置部本体１１と、一対のガイド部１２，１３と、を備える。このうちの載置部本体１１は、中空の角柱材で構成される。また、ガイド部１２，１３は、載置部本体１１と同様に中空の角柱材で構成され、載置部本体１１の両端それぞれに互いに平行となるように取り付けられている。
【００２４】
なお、載置部本体１１の長手方向の長さ寸法は、汚物抜き取りホース１００の径寸法よりも大きく設定されており、ガイド部１２とガイド部１３との間の間隔についても、汚物抜き取りホース１００の径寸法よりも大きくなっている。
【００２５】
また、ガイド部１２の上端部は、吊り下げられたシャフト２００の先端に固定される。
このように構成された載置部１０は、載置部本体１１に汚物抜き取りホース１００を載置可能であり、ガイド部１２とガイド部１３とが、載置部本体１１に載置された汚物抜き取りホースが脱落しないようガイドするようになっている。
【００２６】
また、ガイド部１２のガイド部１３と対向する面には、開口部１２ａが形成されている。そして、ガイド部１２には、検知部２０が内蔵されている。この検知部２０は、開口部１２ａの後方に配置され、載置部本体１１に載置される汚物抜き取りホース１００へ向けて光線を開口部１２ａ経由で照射可能な照射部２１と、照射部２１によって照射された光線を開口部１２ａ経由で受光可能な受光部２２とが一体となっている。
【００２７】
また、ガイド部１３のガイド部１２と対向する面には、開口部１３ａが形成されている。そして、ガイド部１３には反射部２３が内蔵されている。反射部２３は、開口部１３ａの後方に配置され、照射部２１によって照射されて開口部１３ａからガイド部１３内部に入光した光線を受光部２２へ向けて開口部１３ａ経由で反射する。
【００２８】
なお、開口部１２ａおよび開口部１３ａは特許請求の範囲の透過部に該当する。
なお、ガイド部１２の開口部１２ａ、照射部２１、受光部２２、ガイド部１３の開口部１３ａおよび反射部２３は、載置部本体１１に汚物抜き取りホース１００が載置されない場合に、照射部２１から照射された光線が、開口部１２ａからガイド部１２の外部に出て載置部本体１１上を通過し、開口部１３ａからガイド部１３の内部に入って反射部２３に反射された後に、開口部１３ａからガイド部１３の外部に再び出て載置部本体１１上を通過し、開口部１２ａからガイド部１２の内部に再び入って受光部２２に受光されるように設定されている。
【００２９】
そのため、載置部本体１１に汚物抜き取りホース１００が載置されない場合には、照射部２１から照射された光線は、反射部２３に反射された後に受光部２２に受光される。一方、載置部本体１１に汚物抜き取りホース１００が載置される場合には、照射部２１から照射された光線は、開口部１２ａからガイド部１２の外部に出た際に汚物抜き取りホース１００に反射されるために受光部２２には戻ってこない。
【００３０】
そして、検知部２０は、照射部２１から照射された光線が受光部２２に受光された場合に、載置部１１に載置される汚物抜き取りホース１００を検知せず、一方、照射部２１から照射された光線が受光部２２に受光されない場合に、載置部１１に載置される汚物抜き取りホース１００を検知する。
【００３１】
また、検知部２０は、載置部１１に載置される汚物抜き取りホース１００を検知しない場合に、その旨を示す信号を判定部３０に出力する。
図１に示すように、報知部４０は、回転灯やスピーカー、ブザーなどから構成され、判定部３０による判定結果に基づき、回転灯を所定時間回転させながら点灯させることや、スピーカーから所定時間放音させること、ブザーを所定時間鳴らすことなどの報知動作を行う。
【００３２】
判定部３０は、電気回路で構成され、検知手段２０によって載置部１１に載置される汚物抜き取りホース１００が検知されない場合に、汚物抜き取りホース１００が鉄道車両に接続されている可能性があると判定し、報知部４０を制御して上述の報知動作を実行させる。また、判定部３０は、検知部２０によって載置部１１に載置される汚物抜き取りホース１００が検知される場合に、汚物抜き取りホース１００が鉄道車両に接続されていないと判定し、報知部４０に上述の報知動作を実行させている場合には報知部４０を制御して上述の報知動作を停止させる。
【００３３】
［２．実施形態の効果］
（１）このように本実施形態の汚物抜き取りホース取り外し失念防止システム１によれば、検知部２０が照射部２１と受光部２２とを有し、照射部２１が、載置部１０に載置される汚物抜き取りホース１００へ向けて光線を照射可能であり、受光部２２が、載置部１０に汚物抜き取りホース１００が載置されない場合に、照射部２１によって照射された光線を受光する。
【００３４】
このように載置部１０に載置された汚物抜き取りホース１００の検出に光線を用いることで、従来構成のような自然要因による誤動作が発生しにくい。また、仮に汚物抜き取りホース１００が他の地上設備等に引っ掛かった場合でも、受光部２２による光線の受光が妨げられにくく、この点でも誤動作が発生しにくくなる。
【００３５】
また、本実施形態の地上設備取り外し失念防止システム１によれば、受光部２２が照射部２１によって照射された光線を受光する場合には、検知部２０が、載置部１０に載置される汚物抜き取りホース１００を検知せず、判定部３０が、汚物抜き取りホース１００が鉄道車両に接続されている可能性があると判定する。一方、受光部２２が照射部２１によって照射された光線を受光しない場合には、検知部２０が、載置部１０に載置される汚物抜き取りホース１００を検知し、判定部３０が、汚物抜き取りホース１００が鉄道車両に接続されていないと判定する。
【００３６】
したがって、整備中の鉄道車両に接続されて用いられる汚物抜き取りホース１００の鉄道車両からの取り外しの失念を、より確実に防止することができる。
（２）また、本実施形態の汚物抜き取りホース取り外し失念防止システム１によれば、照射部２１および受光部２２が、載置部１０のガイド部１２内部に配置されており、反射部２３が、載置部１０のガイド部１３内部に配置されている。そして、照射部２１から照射された光線が、開口部１２ａからガイド部１２の外部に出て載置部本体１１上を通過し、開口部１３ａからガイド部１３の内部に入って反射部２３に反射された後に、開口部１３ａからガイド部１３の外部に再び出て載置部本体１１上を通過し、開口部１２ａからガイド部１２の内部に再び入って受光部２２に受光されるように設定されている。
【００３７】
このことにより、照射部２１、受光部２２および反射部２３が載置部１０内部に配置されるので、水滴やほこりが開口部１２ａ，１３ａを通過したとしても照射部２１、受光部２２および反射部２３までは届きにくく、照射部２１、受光部２２および反射部２３に水滴やほこりが付着するのを防ぐことができる。したがって、照射部２１、受光部２２および反射部２３への水滴やほこりの付着に起因する誤動作を防止することができる。
【００３８】
［３．他の実施形態］
以上、本発明の一実施形態について説明したが、本発明は上記実施形態に限定されるものではなく、以下のような様々な態様にて実施することが可能である。
【００３９】
（１）上記実施形態では、本発明を汚物抜き取りホース１００の取り外し失念防止に適用した例を説明したが、本発明は、洗浄水供給ホースの取り外し失念防止や、鉄道車両の清掃および整備作業時に鉄道車両に接続されたり引き込まれたりする各種ホースや各種コードなどの地上設備の取り外し失念防止に適用することも可能である。
【００４０】
（２）上記実施形態では、載置部１０が汚物抜き取りホース１００を横向きの姿勢で載置可能に構成されているが、これには限られず、汚物抜き取りホース１００を縦向きの姿勢で載置可能に構成してもよい。
【００４１】
具体的には、図３に示すように、本実施形態の載置部５０は、載置部本体５１と、一対のガイド部５２，５３と、を備える。
このうちの載置部本体５１は、箱形状に形成され、その上部に、横向きの姿勢の汚物抜き取りホース１００の先端部を載置可能な凹部５１ａが形成されている。また、ガイド部５２，５３は、中空の角柱材で構成され、載置部本体５１上部の両端それぞれに互いに平行となるように取り付けられている。
【００４２】
なお、ガイド部５２とガイド部５３との間の間隔についても、汚物抜き取りホース１００の径寸法よりも大きくなっている。
また、載置部５０の下部は、整備スペースの床面などに固定される。
【００４３】
また、ガイド部５２のガイド部５３と対向する面には、開口部５２ａが形成されている。そして、ガイド部５２には、検知部２０が内蔵されている。この検知部２０は、開口部５２ａの後方に配置され、載置部本体５１に載置される汚物抜き取りホース１００へ向けて光線を開口部５２ａ経由で照射可能な照射部２１と、照射部２１によって照射された光線を開口部５２ａ経由で受光可能な受光部２２とが一体となっている。
【００４４】
また、ガイド部５３のガイド部５２と対向する面には、開口部５３ａが形成されている。そして、ガイド部５３には反射部２３が内蔵されている。反射部２３は、開口部５３ａの後方に配置され、照射部２１によって照射されて開口部５３ａからガイド部５３内部に入光した光線を受光部２２へ向けて開口部５３ａ経由で反射する。
【００４５】
なお、開口部５２ａおよび開口部５３ａは特許請求の範囲の透過部に該当する。
なお、ガイド部５２の開口部５２ａ、照射部２１、受光部２２、ガイド部５３の開口部５３ａおよび反射部２３は、載置部本体５１に汚物抜き取りホース１００が載置されない場合に、照射部２１から照射された光線が、開口部５２ａからガイド部５２の外部に出て載置部本体５１の内部を通過し、開口部５３ａからガイド部５３の内部に入って反射部２３に反射された後に、開口部５３ａからガイド部５３の外部に再び出て載置部本体５１の内部を通過し、開口部５２ａからガイド部５２の内部に再び入って受光部２２に受光されるように設定されている。
【００４６】
そのため、載置部本体５１に汚物抜き取りホース１００が載置されない場合には、照射部２１から照射された光線は、反射部２３に反射された後に受光部２２に受光される。一方、載置部本体５１に汚物抜き取りホース１００が載置される場合には、照射部２１から照射された光線は、開口部５２ａからガイド部５２の外部に出た際に汚物抜き取りホース１００に反射されるために受光部２２には戻ってこない。
【００４７】
そして、このような汚物抜き取りホース１００を検知するための検知部２０は、照射部２１から照射された光線が受光部２２に受光された場合に、載置部５１に載置される汚物抜き取りホース１００を検知せず、一方、照射部２１から照射された光線が受光部２２に受光されない場合に、載置部５１に載置される汚物抜き取りホース１００を検知する。
【００４８】
なお、判定部３０および報知部４０については既述したのでここではその詳細な説明は省略するが、本実施形態では、載置部本体５１に内蔵される。
このように構成すれば、載置部本体５１の凹部５１ａに工具などの汚物抜き取りホース１００以外の物体が載置された場合に、その物体を汚物抜き取りホース１００と誤って検知することがない。したがって、装置による汚物抜き取りホース１００の検知の精度を向上させることができる。
【００４９】
また、載置部５０の下部が整備スペースの床面などに固定されるので、整備スペースの何れのサイドに停車する鉄道車両に対しても、載置部５０から取り外した汚物抜き取りホース１００を容易に接続することができる。
【００５０】
また、ガイド部５３は、洗浄水給水ホース１１０を載置可能に構成されている。
具体的には、本実施形態の載置部５０のガイド部５３には、洗浄水給水ホース１１０の先端部を内包可能な取付部５４が形成されている。この取付部５４は、その内径寸法が洗浄水給水ホース１１０の先端部の外径寸法よりも若干大きく設定されており、洗浄水給水ホース１１０の先端部を内挿することで、洗浄水給水ホース１１０を載置可能である。
【００５１】
また、取付部５４の後部側の面には開口部５４ａが形成されている。そして、ガイド部５３の取付部５４よりも後方部分には、検知部５５が内蔵されている。この検知部５５は、開口部５４ａの後方に配置され、取付部５４に載置される洗浄水給水ホース１１０へ向けて光線を開口部５４ａ経由で照射可能な照射部５６と、照射部５６によって照射された光線を開口部５４ａ経由で受光可能な受光部５７とが一体となっている。
【００５２】
また、取付部５４の前部側の面には開口部５４ｂが形成されている。そして、ガイド部５３の取付部５４よりも前方部分には反射部５８が内蔵されている。反射部５８は、開口部５４ｂの後方に配置され、照射部５６によって照射されて開口部５４ｂからガイド部５３の前部内に入光した光線を受光部５７へ向けて開口部５４ｂ経由で反射する。
【００５３】
なお、開口部５４ａおよび開口部５４ｂは特許請求の範囲の透過部に該当する。
なお、ガイド部５３の開口部５４ａ、照射部５６、受光部５７、ガイド部５３の開口部５４ｂおよび反射部５８は、取付部５４に洗浄水給水ホース１１０が載置されない場合に、照射部５６から照射された光線が、開口部５４ａからガイド部５３の外部に出て取付部５４の内部を通過し、開口部５４ｂからガイド部５３の内部に入って反射部５８に反射された後に、開口部５４ｂからガイド部５３の外部に再び出て取付部５４の内部を通過し、開口部５４ａからガイド部５３の内部に再び入って受光部５７に受光されるように設定されている。
【００５４】
そのため、取付部５４に洗浄水給水ホース１１０が載置されない場合には、照射部５６から照射された光線は、反射部５８に反射された後に受光部５７に受光される。一方、取付部５４に洗浄水給水ホース１１０が載置される場合には、照射部５６から照射された光線は、開口部５４ａからガイド部５３の外部に出た際に洗浄水給水ホース１１０に反射されるために受光部５７には戻ってこない。
【００５５】
そして、このような洗浄水給水ホース１１０を検知するための検知部５５は、照射部５６から照射された光線が受光部５７に受光された場合に、取付部５４に載置される洗浄水給水ホース１１０を検知せず、一方、照射部５６から照射された光線が受光部５７に受光されない場合に、取付部５４に載置される洗浄水給水ホース１１０を検知する。
【００５６】
また、検知部５５は、取付部５４に載置される洗浄水給水ホース１１０を検知しない場合に、その旨を示す信号を判定部３０に出力する。
このように構成すれば、整備中の鉄道車両に接続されて用いられる洗浄水給水ホース１１０の鉄道車両からの取り外しの失念を、より確実に防止することができる。
【００５７】
（３）上記実施形態では、載置部１０が汚物抜き取りホース１００を載置可能に構成されているが、これには限られず、洗浄水給水ホース１１０を載置可能に構成してもよい。
具体的には、図４に示すように、本実施形態の載置部６０は、その側面の一部が開放された円筒状の載置部本体６１の両側に、箱形状のガイド部６２，６３を連結した形状を有している。
【００５８】
また、載置部６０の背面は、整備スペースの柱などに固定される。
載置部本体６１は、その内径寸法が洗浄水給水ホース１１０の先端部の外径寸法よりも若干大きく設定されており、洗浄水給水ホース１１０の先端部を内挿することで、洗浄水給水ホース１１０を載置可能である。
【００５９】
また、ガイド部６２のガイド部６３と対向する面には、開口部６２ａが形成されている。そして、ガイド部６２には、検知部２０が内蔵されている。この検知部２０は、開口部６２ａの後方に配置され、載置部本体６１に載置される洗浄水給水ホース１１０へ向けて光線を開口部６２ａ経由で照射可能な照射部２１と、照射部２１によって照射された光線を開口部６２ａ経由で受光可能な受光部２２とが一体となっている。
【００６０】
また、ガイド部６３のガイド部６２と対向する面には、開口部６３ａが形成されている。そして、ガイド部６３には反射部２３が内蔵されている。反射部２３は、開口部６３ａの後方に配置され、照射部２１によって照射されて開口部６３ａからガイド部６３内部に入光した光線を受光部２２へ向けて開口部６３ａ経由で反射する。
【００６１】
なお、開口部６２ａおよび開口部６３ａは特許請求の範囲の透過部に該当する。
なお、ガイド部６２の開口部６２ａ、照射部２１、受光部２２、ガイド部６３の開口部６３ａおよび反射部２３は、載置部本体６１に洗浄水給水ホース１１０が載置されない場合に、照射部２１から照射された光線が、開口部６２ａからガイド部６２の外部に出て載置部本体６１の内部を通過し、開口部６３ａからガイド部６３の内部に入って反射部２３に反射された後に、開口部６３ａからガイド部６３の外部に再び出て載置部本体６１の内部を通過し、開口部６２ａからガイド部６２の内部に再び入って受光部２２に受光されるように設定されている。
【００６２】
そのため、載置部本体６１に洗浄水給水ホース１１０が載置されない場合には、照射部２１から照射された光線は、反射部２３に反射された後に受光部２２に受光される。一方、載置部本体６１に洗浄水給水ホース１１０が載置される場合には、照射部２１から照射された光線は、開口部６２ａからガイド部６２の外部に出た際に洗浄水給水ホース１１０に反射されるために受光部２２には戻ってこない。
【００６３】
そして、検知部２０は、照射部２１から照射された光線が受光部２２に受光された場合に、載置部本体６１に載置される洗浄水給水ホース１１０を検知せず、一方、照射部２１から照射された光線が受光部２２に受光されない場合に、載置部本体６１に載置される洗浄水給水ホース１１０を検知する。
【００６４】
また、検知部２０は、載置部本体６１に載置される洗浄水給水ホース１１０を検知しない場合に、その旨を示す信号を判定部３０に出力する。
なお、判定部３０および報知部４０については既述したのでここではその詳細な説明は省略する。
【００６５】
このように構成すれば、整備中の鉄道車両に接続されて用いられる洗浄水給水ホース１１０の鉄道車両からの取り外しの失念を、より確実に防止することができる。
【符号の説明】
【００６６】
１…汚物抜き取りホース取り外し失念防止システム、１０…載置部、１１…載置部本体、１２，１３…ガイド部、１２ａ，１３ａ…開口部、２０…検知部、２１…照射部、２２…受光部、２３…反射部、３０…判定部、４０…報知部、５０…載置部、５１…載置部本体、５１ａ…凹部、５２，５３…ガイド部、５２ａ，５３ａ…開口部、５４…取付部、５４ａ，５４ｂ…開口部、５５…検知部、５６…照射部、５７…受光部、５８…反射部、６０…載置部、６１…載置部本体、６２，６３…ガイド部、６２ａ，６３ａ…開口部、１００…汚物抜き取りホース、１１０…洗浄水給水ホース、２００…シャフト
【図１】
2010285027.tif 000003
【図３】
2010285027.tif 000004
【図２】
2010285027.tif 000005
【図４】
2010285027.tif 000006